(57)【要約】【課題】開口部を有するＡＬＣ建造物の壁、床または屋根などにおいて、開口部を塞いだＡＬＣパネルの部分が開口部以外のＡＬＣパネルを用いた壁、床または屋根などと同等の耐火性能を有するようにするためのＡＬＣパネルの取付方法および取付金物を提供するものである。【解決手段】開口部を塞ぐために配設するＡＬＣパネルの取付方法であって、前記ＡＬＣパネル配設前に前記開口部を補強するための補強鋼材を設け、該補強部材に対して薄板の取付金具を固定し、且つ前記ＡＬＣパネル配設後にタッピングねじを、前記取付金物を貫通するよう打込み、前記ＡＬＣパネルを固定することを特徴とし、前記タッピングねじの打込みにより生じた窪みを補修材により埋め戻すことを特徴とするものであり、また開口部を塞ぐＡＬＣパネルを取り付けるための取付金具は、Ｌ字型断面を有し、屈曲部にリブを設置したことを特徴とするものである。【選択図】      図１
2005042316.tif 000002
【特許請求の範囲】
【請求項１】
開口部を塞ぐために配設するＡＬＣパネルの取付方法であって、前記ＡＬＣパネル配設前に前記開口部を補強するための補強鋼材を設け、該補強部材に対して薄板の取付金具を固定し、且つ前記ＡＬＣパネル配設後にタッピングねじを、前記取付金具を貫通するように打込み、前記ＡＬＣパネルを固定することを特徴とするＡＬＣパネルの取付方法。
【請求項２】
前記タッピングねじの打込みにより生じた窪みを補修材により埋め戻すことを特徴とする請求項１記載の取付方法。
【請求項３】
ＡＬＣパネルで開口部を塞ぐための取付金物であって、Ｌ字型断面を有し、屈曲部にリブを設置したことを特徴とする請求項１または２記載の取付方法に使用する取付金物。
【発明の詳細な説明】
【０００１】
【発明の属する技術分野】
本発明は、建造物の開口部を塞ぐために配設するＡＬＣパネルの取付方法およびこの方法に使用する取付金物に関するものである。
【０００２】
【従来の技術】
軽量気泡コンクリート（以下、「ＡＬＣ」という。）パネルは、軽量であるとともに優れた断熱性能、耐火性能を有するため、建築材料として用いられている。特に、ＡＬＣパネルはその特性から建物の防火区画の間仕切壁などの用途に使用されることが多い。
ところで、建造物を建設するにあたっては、建造物の壁、床または屋根などの一部に、サッシ、窓などの他の部材を設置するため図６に示すような開口部２を設けるのが通常である。
かかる開口部２を設けた建造物にあっては、時として、その建造物の開口部２を何らかの材料により塞がなければならないことがある。
即ち、例えば、▲１▼図６のように補強鋼材１ａ、１ｂを組んで開口部２を設けた上で、壁ＡＬＣパネル６を形成後に設計変更により開口部２を塞がなければならない場合や、▲２▼施工後何年か後に建物の用途変更などの理由により開口部２を塞がなければならない場合、あるいは▲３▼設計時に数年後に建造物の用途変更などが行われ開口部ができることが予め分っており用途変更があるまで開口部２を塞ぐ場合などである。
【０００３】
しかし▲１▼，▲２▼の場合、図４（ａ）、（ｂ）に示すように補強鋼材１ａまたは１ｂにＬ字型断面を有しかつ補強のため厚板の鋼材ピース７を千鳥状に配置、固定しＡＬＣパネル３を嵌め込むことにより建造物の開口部２を塞ぎＡＬＣパネル３を取付ける方法、もしくは▲３▼の場合、図５（ａ）、（ｂ）に示すように補強鋼材１ａまたは１ｂに固定された稲妻金物８を引っ掛けるＬ字型断面を有する鋼材９を固定し、この鋼材９に稲妻金物８とＡＬＣパネル３に埋設したアンカー１０とをボルト１１を介して固定することが多い。
尚、図４、図５において１は補強鋼材、３は開口部２を塞ぐＡＬＣパネル、６は開口部２周辺の壁、床、あるいは屋根を形成するＡＬＣパネル、６ａ，６ｂは開口部２周辺のＡＬＣパネルであり、またこのようなＡＬＣパネルの取付方法は、あくまで経験的に用いられている取付方法であるため公知の技術であるが、現在のところ特に特許文献等が開示されているものではない。
【０００４】
【発明が解決しようとする課題】
しかしながら、前者の取付方法においては、ＡＬＣパネル３裏面または表面の一方に取付金物が露出するために意匠性が劣るとともに、該取付金物が熱橋となり耐火性が劣る恐れがある。また、補強鋼材１ａまたは１ｂに固定されたＬ字型断面を有する厚板の鋼材ピース７を千鳥状に配置するため、補強鋼材１ａまたは１ｂと鋼材ピース７の間に厚板の鋼材ピース７の厚さに対応する大きなの隙間が発生してしまい耐火性が劣ることになる。更には、ＡＬＣパネルの表裏面の少なくともどちらか一方に取り付ける鋼材ピースはＡＬＣパネルを開口部に嵌め込んだ後に取り付けるため、溶接などによる鋼材ピースの固定が確実に行うことができず施工性が悪い。
また、後者の取付方法においては、取付金物をＡＬＣパネルの片側に取り付けることから該取付金物が熱橋となることはなく耐火性能が劣る懸念は少ない。しかしながら、取付鋼材９を固定するにあたり、ＡＬＣパネル内部にアンカーを埋設するためＡＬＣパネルへの孔開け作業が必要になるとともに、稲妻金物８の個数も多く稲妻金物により重量も大きくなり施工性および経済性が悪くなる。更に、アンカーの先端をＡＬＣパネルの厚さ方向の中央にまで打ち込むために、ＡＬＣパネルの裏表面近く内部に鉄筋を２本多く埋設する必要があり、耐力的に必要以上の鉄筋を使用することになる場合が多く、経済的ではない上に、ＡＬＣパネルの重量も大きくなり施工性が悪くなる。
【０００５】
そこで、本発明の目的は、建造物の壁、床または屋根などと同等の性能を保持しつつ、且つ施工性および経済性を悪化させることのない、建造物の開口部を塞ぐためのＡＬＣパネルの取付方法およびこの方法に使用する取付金物を提供するものである。
具体的には、開口部を有するＡＬＣ建造物の壁、床または屋根などにおいて、開口部を塞いだＡＬＣパネルの部分が開口部以外のＡＬＣパネルを用いた壁、床または屋根などと同等の耐火性能を有するようにするためのＡＬＣパネルの取付方法および取付金物を提供するものである。
【０００６】
【特許文献】特になし
【０００７】
【課題を解決するための手段】
上記課題を解決すべく、本発明に係るＡＬＣパネルの取付方法は開口部を塞ぐために配設するＡＬＣパネルの取付方法であって、前記ＡＬＣパネル配設前に前記開口部を補強するための補強鋼材を設け、該補強部材に対して薄板の取付金具を固定し、且つ前記ＡＬＣパネル配設後にタッピングねじを、前記取付金具を貫通するように打込み、前記ＡＬＣパネルを固定することを特徴とし、前記タッピングねじの打込みにより生じた窪みを補修材により埋め戻すことを特徴とするものであり、またＡＬＣパネルで開口部を塞ぐための取付金物であって、Ｌ字型断面を有し、屈曲部にリブを設置したことを特徴とするものである。
【０００８】
【発明の実施の形態】
以下、間仕切壁に適用して実施したＡＬＣパネルの取付方法の実施形態について図面に基づいて説明する。
図１に示すように、ＡＬＣパネル６で構成された間仕切壁には矩形の開口部２が設けられており、該開口部２は補強鋼材１ａ、１ｂで補強されている。また、該開口部２には長さ２４００ｍｍ、幅が６００ｍｍのＡＬＣパネル３を、開口部２を塞ぐため嵌め込む。
尚、ＡＬＣパネル３の寸法は、防火性能等の観点から該開口部２とほぼ同寸法であることが好ましいが、上記寸法に限定されるものではない。また、かかるＡＬＣパネル３の嵌め込む方向は該開口部２の寸法変えることで縦位置もしくは横位置どちらに対しても使用することができる。
【０００９】
次に、補強鋼材１は、ＡＬＣパネル６のＡＬＣパネル６ａに接する梁またはスラブ間もしくは柱間に通し固定された２本の補強鋼材１ａと、壁ＡＬＣパネルの短いＡＬＣパネル６ｂに接する長い補強鋼材１ａ間に固定された２本の補強鋼材１ｂにより構成されている。なお、補強鋼材１ａ、１ｂ周辺の壁ＡＬＣパネル６については、梁またはスラブ間もしくは柱間を長さとしたＡＬＣパネル６ａおよび短い補強鋼材１ｂに接する短いＡＬＣパネル６ｂとで構成されている。
これらは、従来の技術と同様にＡＬＣパネル固定に使用される稲妻金物８とＡＬＣパネルに埋め込んだアンカー１０およびボルト１１などによって、長いＡＬＣパネル６ａは躯体に取り付けた定規アングルに、短いＡＬＣパネル６ｂは補強鋼材１ｂと躯体とに取付けた定規アングルに固定されて形成されている。
この開口部２において、ＡＬＣパネルの短辺方向の小口面が当接する補強鋼材１ｂに２箇所に、Ｌ字型断面を有する厚さ２．３ｍｍ以下の薄板の鋼材からなり、Ｌ字型の屈曲部にリブ４ａを設けた取付金具４を各々１個を溶接で固定する（図３（ａ）、（ｂ）参照）。
【００１０】
しかる後、開口部２の大きさに合わせたＡＬＣパネル３を１枚準備し、そのＡＬＣパネル３を開口部２に嵌め込む。その際、ＡＬＣパネル３の裏面がＬ字型断面を有する取付金具４に当接するまで嵌め込み、図１（ｂ）、（ｃ）のようにＡＬＣパネル３表面よりタッピンググねじ５をＬ字型断面を有する各薄板の取付金具４を貫通するよう打込みＡＬＣパネル３を取付金物４に固定する。タッピングねじ５の打込みの際には、ＡＬＣパネル３表面よりタッピングねじ５の頭部が５ｍｍ以上沈み込むように打込み、、タッピングねじ５の打込みにより生じた窪みについては、補修材などを用いて埋め戻す。これによりＡＬＣパネル３の片側にのみ稲妻金物や取付金具が露出するだけとなり、開口部２についてもＡＬＣパネルの耐火性等の諸性能を低下させることなく、かつＡＬＣパネル３内に入れる鉄筋の量も必要性能に合わせた鉄筋量のみ入れることで対応できＡＬＣパネル３の重量が過剰に増加することがない。更に、施工作業もＡＬＣパネルの表面側一方からのみ行うことができ、かつ取付金具の重量および個数も少なく経済的にかつ施工性も良い状態で開口部２をＡＬＣパネル３で塞ぐことが可能になる。
【００１１】
本発明は、その根本的技術思想を踏襲して発明の効果を著しく損なわない限度において、前記実施形態を変更することができる。前記実施形態においては、開口部２の大きさに合う寸法の１枚のＡＬＣパネル３を嵌め込む取付方法について記述したが、ＡＬＣパネル３が２枚以上になった場合についても、嵌め込む１枚のＡＬＣパネル３に対して取付金物４を２箇所以上使用することで開口部２を複数のＡＬＣパネル３で塞ぐこともできる。
また、間仕切壁についてのみならず、外壁、あるいは人等の荷重がかからない場所においては、床、屋根等にも使用することができる。さらに、外壁や床あるいは屋根において、荷重が加わる部分についても、１枚のＡＬＣパネル３に対する取付金具４の個数を増すことである程度実施は可能である。
【００１２】
【発明の効果】
以上のように、本発明によればＡＬＣ建造物における開口部を塞ぐＡＬＣパネルの取付方法は、開口部を塞ぐ必要がある際、タッピングねじの打込みにより生じた窪みを補修材などで塞ぐため開口部ＡＬＣパネルの諸性能を低下させることなく、且つ開口部以外のＡＬＣパネルの強度低下させることなく、しかも、取付金具がＡＬＣパネルの片側のみに露出するだけですみ、溶接などの施工作業も確実にかつ安全に行うことができるため施工性に優れ、金物重量および個数を増やすことなくかつＡＬＣパネルの重量を過剰にすることなく施工を可能にする効果を奏する。
【図面の簡単な説明】
【図１】本発明による開口部を塞ぐＡＬＣパネルの取付方法を示す図で、（ａ）は全体斜視図、（ｂ）はＡＬＣパネルを取り付けるタッピングねじの打込み状態を示す斜視図、（ｃ）は補強鋼材の組立状態を示す斜視図である。
【図２】本発明による取付金物の例を示す図で、（ａ）は拡大断面図、（ｂ）は裏面からの平面図である。
【図３】開口部を塞ぐＡＬＣパネルの取付金物を示すに配置した図で、（ａ）は一実施例を示す図、（ｂ）は他の実施例を示す図である。
【図４】従来の開口部を塞ぐＡＬＣパネルの取付方法で鋼材ピースを千鳥に配置した例を示す図で、（ａ）は拡大断面図、（ｂ）は裏面からの平面図である。
【図５】従来の開口部を塞ぐＡＬＣパネルの取付方法でＺ型金物とアンカーおよびボルトで固定する例を示す図で、（ａ）は拡大断面図、（ｂ）は裏面からの平面図である。
【図６】通常に開口部を設けた場合の斜視図である。
【符号の説明】
１    補強鋼材
１ａ  開口部周辺ＡＬＣパネルの長いＡＬＣパネルに接する梁又はスラブ間もしくは柱間に固定される補強鋼材
１ｂ  開口部周辺ＡＬＣパネルの短いＡＬＣパネルに接する補強材（１ａ）間に固定される補強鋼材
２    開口部
３    開口部を塞ぐＡＬＣパネル
４    取付金具
４ａ  取付金具のリブ
５    タッピンググねじ
６    開口部周辺開口部周辺の壁、床あるいは屋根を形成するＡＬＣパネル
６ａ  開口部周辺のＡＬＣパネル長さの長い壁、床あるいは屋根を形成するＡＬＣパネル
６ｂ  開口部周辺のＡＬＣパネル長さの短い壁、床あるいは屋根を形成するＡＬＣパネル
７    千鳥状に設置するＬ字型断面を有する鋼材ピース
８    稲妻金物
９    稲妻金物を引っ掛けるＬ字型断面を有する鋼材
１０  アンカー
１１  ボルト
【図１】
2005042316.tif 000003
【図２】
2005042316.tif 000004
【図３】
2005042316.tif 000005
【図４】
2005042316.tif 000006
【図５】
2005042316.tif 000007
【図６】
2005042316.tif 000008